(57)【特許請求の範囲】
【請求項１】
先端にヘッド部が設けられたハンドル体を備え、前記ヘッド部の植毛面に形成された複数の植毛穴に用毛の毛束が植設された歯ブラシにおいて、
前記植毛面には、前記ハンドル体の軸線方向に並設された複数の中央毛束からなり略中央に位置する中央毛束群と、前記ハンドル体の軸線に直交する方向で前記中央毛束群を挟んで植設された複数の外側毛束からなる外側毛束群とが備えられ、
前記中央毛束の毛束径は、１．０〜１．６ｍｍであり、
前記外側毛束の毛束径は、１．８〜２．４ｍｍであり、
前記中央毛束群の最外周に位置する前記中央毛束が植設された前記植毛穴の外縁を結んだ環状線によって囲まれた領域を中央植毛領域とし、前記中央毛束の長さ方向に直交する前記中央毛束の断面積の総和が、前記中央植毛領域の面積に対して３０〜４５％であり、
全ての前記植毛穴の内、最外周に位置する植毛穴の外縁を結んだ環状線によって囲まれた領域を全植毛領域とし、前記全植毛領域における前記中央植毛領域の占める割合が３０〜６０％であることを特徴とする歯ブラシ。
【請求項２】
前記中央毛束を構成する用毛は、その用毛径が、前記外側毛束を構成する用毛の用毛径以上であることを特徴とする、請求項１に記載の歯ブラシ。
【請求項３】
前記中央毛束は、前記植毛面上の長さが、前記外側毛束の前記植毛面上の長さより長いことを特徴とする、請求項１又は２に記載の歯ブラシ。
【請求項４】
前記中央毛束及び前記外側毛束の双方又はいずれか一方には、毛先に向かって漸次その径が小さくなる用毛が含まれることを特徴とする、請求項１〜３のいずれか１項に記載の歯ブラシ。
【発明の詳細な説明】
【技術分野】
【０００１】
本発明は、歯ブラシに関する。
【背景技術】
【０００２】
口腔内清掃器具である歯ブラシにおいては、最も必要な機能である歯垢除去効果を高めるために、用毛を束ねた毛束の配列に工夫がなされてきた。基本的な歯ブラシにおける毛束の配列としては、均一な直径の毛束が碁盤目状又は千鳥状に植設されたものが知られている。
【０００３】
近年、衛生志向の高まりにより、歯ブラシには、より一層の歯垢除去効果の向上が求められており、このような要望に対し、異なる径の毛束を組み合わせた歯ブラシや、異なる毛丈の毛束を組み合わせた歯ブラシが提案されている。
例えば、特許文献１には、ヘッド部の前端寄りで植毛面の周縁に沿って略Ｕ字型に大口径毛束が配置された前端側植毛領域と、ヘッド部の後端寄りに小口径毛束が配された後端側植毛領域とを有し、前端側植毛領域の植毛密度を、後端側植毛領域の植毛密度よりも高くした歯ブラシが提案されている。この歯ブラシによれば、口腔内の各部、特に奥歯の咬合面において高い刷掃力が得られる。
【０００４】
また、特許文献２には、ヘッド部の長手方向に沿って中央に、内径が２．０〜２．８ｍｍの植毛穴に刷毛が植設された中央毛束列と、該中央毛束列の両外側に、内径が１．２〜１．６ｍｍの植毛穴に刷毛が植設された外側毛束列とを有し、中央毛束列の植毛穴の総面積と外側毛束列の植毛穴の総面積との比率が１：０．６〜１：２．８である歯ブラシが提案されている。この歯ブラシによれば、歯面、歯頸部、歯間部等の細部において、歯垢を効率よく刷掃できる。
【０００５】
特許文献３には、最外側列の外側タフトの束径よりも束径が細く、かつ該外側タフトの毛丈よりも毛丈の高い中央タフト及び中間タフトの列が外側タフトの内側に設けられており、中央タフトの毛丈が最も高く、外側の列のタフトに向かってタフトの毛丈が順次低くなっており、中央タフト、中間タフト、外側タフトは、この順で束径が順次拡大している歯ブラシが提案されている。この歯ブラシによれば、優れた清掃実感及び口腔内の隙間への挿入実感が得られる。
【０００６】
特許文献４には、植毛面を歯ブラシの軸方向と平行な３ｍｍ幅の中央帯状領域とこれの両側に一対の外側領域とに区画して、中央帯状領域の中央主ブリッスルの高さを外側領域の外側主ブリッスルの高さより高くし、かつ中央主ブリッスル全体の硬さを外側主ブリッスル全体の硬さより大きくした歯ブラシが提案されている。この歯ブラシによれば、効率よく歯間部を刷掃できる。
【０００７】
あるいは、用毛の毛先を先鋭化した、いわゆるテーパー毛を用いた歯ブラシが提案されている。
例えば、特許文献５には、テーパリングされた針状の毛を、他部位の針状の毛の高さより１ｍｍ〜１０ｍｍ高くした突出部が形成された歯ブラシが提案されている。この歯ブラシによれば、必要に応じて針状の毛が歯の隙間部又は歯周ポケット等の歯の周辺の細密な部位に局所的、集中的に浸透し、食べ滓をやさしく除去することができる。
【０００８】
また、特許文献６〜７には、毛丈の異なる毛束が植設され、該毛束を構成するブリッスルの先端部がテーパー状とされた歯ブラシが提案されている。この歯ブラシによれば、優れた刷掃実感及び口腔内の隙間への挿入実感が得られる。
【先行技術文献】
【特許文献】
【０００９】
【特許文献１】特開２００７−２２９０６５号公報
【特許文献２】特開２００８−１５４８０８号公報
【特許文献３】特許第３５８３３４６号公報
【特許文献４】特許第４０７６４０３号公報
【特許文献５】特開２００２−８５１５９号公報
【特許文献６】特許第３５８５８１１号公報
【特許文献７】特開２００１−３４６６３２号公報
【発明の概要】
【発明が解決しようとする課題】
【００１０】
ところで、歯周病に罹患すると、刷掃時の痛みや出血等を回避するために、できるだけ歯茎に刺激を与えないような当たり心地の歯ブラシを好む傾向にある。歯茎に刺激を与えないようにするには、用毛径を細くした柔らかい用毛、いわゆる毛腰が低い用毛を用いたり、用毛の植毛密度を高くして、刷掃圧を分散するのが一般的である。
一方で、毛腰の低い用毛を用いると、歯垢の除去が不十分となりやすく、用毛の植毛密度を高くすると、歯牙と歯茎との隙間に毛先を入れるために必要な各毛束の動きを制限することとなる。このような歯ブラシは、歯周病対策の根本的な課題である「歯頸部の清掃性」を満足できるものではない。歯周病罹患者にとって、歯茎に負担をかけない安心感をもたらしながら、適切に歯頸部を清掃できる歯ブラシが求められている。
加えて、上述した特許文献１〜７の歯ブラシは、歯垢の効率的な除去の観点からなされた発明であり、歯周病罹患者への配慮が不十分である。
そこで、本発明は、歯茎への優しい当たり心地と、歯頸部の高い清掃性とを両立できる歯ブラシを目的とする。
【課題を解決するための手段】
【００１１】
本発明者らは、鋭意検討した結果、植毛面の幅方向外側に位置する毛束が歯茎に接触しやすいため、かかる毛束による歯茎への圧力を緩和することで、歯茎への優しい当たり心地を実現できるとの知見を得た。加えて、植毛面の略中央に位置する毛束の毛束径と植毛密度を一定の範囲とすると共に、植毛面の幅方向外側に位置する毛束の毛束径を一定の範囲とすることで、歯茎への優しい当たり心地と、歯頸部の清掃性とを両立できることを見出し、本発明を完成するに至った。
【００１２】
即ち、本発明の歯ブラシは、先端にヘッド部が設けられたハンドル体を備え、前記ヘッド部の植毛面に形成された複数の植毛穴に用毛の毛束が植設された歯ブラシにおいて、前記植毛面には、前記ハンドル体の軸線方向に並設された複数の中央毛束からなり略中央に位置する中央毛束群と、前記ハンドル体の軸線に直交する方向で前記中央毛束群を挟んで植設された複数の外側毛束からなる外側毛束群とが備えられ、前記中央毛束の毛束径は、１．０〜１．６ｍｍであり、前記外側毛束の毛束径は、１．８〜２．４ｍｍであり、前記中央毛束群の最外周に位置する前記中央毛束が植設された前記植毛穴の外縁を結んだ環状線によって囲まれた領域を中央植毛領域とし、前記中央毛束の長さ方向に直交する前記中央毛束の断面積の総和が、前記中央植毛領域の面積に対して３０〜４５％であることを特徴とする。
前記中央毛束を構成する用毛は、その用毛径が、前記外側毛束を構成する用毛の用毛径以上であることが好ましく、前記中央毛束は、前記植毛面上の長さが、前記外側毛束の前記植毛面上の長さより長いことがより好ましく、前記中央毛束及び前記外側毛束の双方又はいずれか一方には、毛先に向かって漸次その径が小さくなる用毛が含まれることがさらに好ましい。
【発明の効果】
【００１３】
本発明の歯ブラシによれば、ヘッド部の植毛面には、ハンドル体の軸線方向に並設された複数の中央毛束からなり略中央に位置する中央毛束群と、前記ハンドル体の軸線に直交する方向で前記中央毛束群を挟んで植設された複数の外側毛束からなる外側毛束群とが備えられ、前記中央毛束の毛束径は、１．０〜１．６ｍｍであり、前記外側毛束の毛束径は、１．８〜２．４ｍｍであり、前記中央毛束群の最外周に位置する前記中央毛束が植設された前記植毛穴の外縁を結んだ環状線によって囲まれた領域を中央植毛領域とし、前記中央毛束の長さ方向に直交する前記中央毛束の断面積の総和が、前記中央植毛領域の面積に対して３０〜４５％とされているため、歯茎への優しい当たり心地と、歯頸部の高い清掃性とを両立できる。
本発明の歯ブラシによれば、前記中央毛束を構成する用毛は、その用毛径が、前記外側毛束を構成する用毛の用毛径以上とされているため、歯頸部の清掃性をさらに向上できる。
本発明の歯ブラシによれば、前記中央毛束は、前記植毛面上の長さが、前記外側毛束の前記植毛面上の長さより長いものとされているため、前記中央毛束の先端が歯周ポケットや歯間部に入りやすくなり、歯頸部の清掃性をさらに向上できる。
前記中央毛束及び前記外側毛束の双方又はいずれか一方には、毛先に向かって漸次その径が小さくなる用毛が含まれているため、前記中央毛束又は前記外側毛束を構成する用毛の先端が歯周ポケットや歯間部に入りやすくなり、歯頸部の清掃性をさらに向上できる。
【図面の簡単な説明】
【００１４】
【図１】（ａ）本発明の一実施形態を示す歯ブラシのヘッド部の平面図である。（ｂ）本発明の一実施形態を示す歯ブラシのヘッド部の側面図である。
【図２】図１の歯ブラシに用いられる用毛の側面図である。
【図３】本発明の一実施形態を示す歯ブラシのヘッド部の平面図である。
【図４】比較例１に用いた歯ブラシのヘッド部の平面図である。
【図５】比較例２に用いた歯ブラシのヘッド部の平面図である。
【図６】比較例４〜５に用いた歯ブラシのヘッド部の平面図である。
【発明を実施するための形態】
【００１５】
本発明の歯ブラシについて、以下に図面を参照して説明する。図１（ａ）は、本発明の一実施形態にかかる歯ブラシ１のヘッド部を示す平面図であり、図１（ｂ）は、本発明の一実施形態にかかる歯ブラシ１のヘッド部の側面図である。
【００１６】
図１に示すように、歯ブラシ１は、ハンドル体２を備えるものであり、ハンドル体２は、長尺状の把持部（不図示）と、該把持部の先端に設けられたヘッド部４とで概略構成されるものである。図１（ａ）中、符号Ｏは、ハンドル体２の軸線、即ち、ハンドル体２の長さ方向で、かつハンドル体２の中心を通る線である。
【００１７】
ヘッド部４は、軸線Ｏ方向を長手とする平面視略矩形状とされ、任意の面が、毛束を植毛する植毛面５とされたものである。植毛面５には、軸線Ｏ上及び軸線Ｏに沿って、有底円筒状の２３個の中央植毛穴１０が千鳥状に形成され、この複数の中央植毛穴１０に、複数の中央用毛１３を略円柱状に束ねた中央毛束１２が植設されて中央毛束群１４が構成されている。
また、植毛面５には、その幅方向、即ち軸線Ｏに直交する方向で中央植毛穴１０を挟み、軸線Ｏに沿って有底円筒状の１２個の外側植毛穴２０が形成され、この外側植毛穴２０に複数の外側用毛２３を略円柱状に束ねた外側毛束２２が植設されている。そして、本実施形態においては、ヘッド部４の側縁６に沿って設けられた各々６個の外側毛束２２により、中央毛束群１４を挟んでなる一対の外側毛束群２４が構成されている。
中央毛束１２の植毛面５上の長さである毛丈ｔ１は、外側毛束２２の植毛面５上の長さである毛丈ｔ２よりも長いものとされている。
【００１８】
植毛面５には、中央毛束１２及び外側毛束２２（以下、総じて本毛束ということがある）が設けられた領域を示す全植毛領域２１が形成されている。全植毛領域２１は、中央植毛穴１０及び外側植毛穴２０（以下、総じて本植毛穴ということがある）の全体の最外周に位置する本植毛穴の外縁を結ぶ環状線で囲われた領域である。なお、この環状線は、隣接する本植毛穴同士の共通接線を構成する。
【００１９】
また、植毛面５には、中央毛束群１４が設けられた領域を示す中央植毛領域１１が形成されており、中央植毛領域１１は、中央毛束群１４の最外周に位置する中央毛束１２が植設された中央植毛穴１０の外縁を結ぶ環状線で囲われた領域である。なお、この環状線は、隣接する中央植毛穴１０同士の共通接線を構成する。
【００２０】
ハンドル体２の材質は、歯ブラシ１に求める剛性や機械特性等を勘案して決定でき、例えば、曲げ弾性率（ＪＩＳ  Ｋ７２０３）が５００〜３０００ＭＰａの範囲にある高硬度樹脂を用いることによって、歯ブラシ１に必要とされる機械特性が得られる。このような高硬度樹脂としては、例えば、ポリプロピレン（ＰＰ）、ポリエチレンテレフタレート（ＰＥＴ）、ポリシクロへキシレンジメチレンテレフタレート（ＰＣＴ）、ポリスチレン（ＰＳ）、アクリロニトリルブタジエンスチレン（ＡＢＳ）、セルロースプロピオネート（ＣＰ）、ポリアリレート、ポリカーボネート、アクリロニトリルスチレン（ＡＳ）等が挙げられ、これらを１種又は複数種用いることができる。
【００２１】
ヘッド部４の大きさは、口腔内での操作性等を勘案して決定でき、例えば、幅Ｗが１０〜１５ｍｍとされ、厚さＴが４〜８ｍｍとされる。
【００２２】
中央植毛穴１０の直径Ｒ１は、中央毛束１２の直径、即ち、中央毛束１２の長さ方向に直交する断面の直径に応じて決定でき、例えば、１．０〜１．６ｍｍとされる。
また、外側植毛穴２０の直径Ｒ２は、外側毛束２２の直径に応じて決定でき、例えば、１．８〜２．４ｍｍとされる。
【００２３】
中央毛束１２の毛丈ｔ１は、中央用毛１３の材質、太さ等を勘案して決定でき、例えば、６〜１５ｍｍとされる。
【００２４】
中央毛束１２の毛束径ｒ１、即ち、中央毛束１２の長さ方向に直交する断面の直径は、１．０〜１．６ｍｍであり、１．２〜１．４ｍｍが好ましい。中央毛束１２の毛束径ｒ１が１．０ｍｍ未満であると、中央毛束１２としての毛腰が低くなりすぎて、歯頸部の清掃性が低くなり、１．６ｍｍ超であると、中央毛束１２の先端部が歯周ポケットや歯間部等の微細部分へ侵入しにくくなって清掃性が低下する。
中央毛束１２の毛束径ｒ１は、植毛面５との境界部における直径であり、中央植毛穴１０の直径Ｒ１と略同等である。略同等とは、±５％内の差異をいう。
なお、中央毛束群１４において、全ての中央毛束１２の毛束径は、同一であってもよいし、互いに異なっていてもよい。
【００２５】
中央毛束群１４の植毛密度、即ち、中央毛束１２の長さ方向に直交する断面積の総和（中央毛束面積）を中央植毛領域１１の面積で除して百分率で表した値は、３０〜４５％であり、好ましくは、３５〜４０％である。中央毛束群１４の植毛密度が３０％未満であると、刷掃時において中央毛束１４同士が相互に支えられず、低い毛腰となって歯頸部の清掃性が低下する。中央毛束群１４の植毛密度が４５％超であると、刷掃時に、隣接する中央毛束１４同士の干渉が大きくなり、中央毛束１４の撓み等の動きが過度に抑制され、歯頸部への中央用毛１３の浸入が阻害される。加えて、中央毛束群１４の植毛密度を４５％超とすると、隣接する中央植毛穴１０同士の距離が短くなり、ヘッド部４の機械強度が低下するおそれがある。
なお、中央毛束１２の断面積は、中央毛束１２と植毛面５との境界部分の断面積であり、中央植毛穴１０の開口面積と略同等である。
【００２６】
中央植毛領域１１の全植毛領域２１に占める割合は、３０〜６０％が好ましく、４０〜５０％がより好ましい。３０％未満であると、歯頸部清掃時に中央毛束１２が支えきれず、清掃性が低下するおそれがある。６０％超であると、歯頸部清掃時に中央毛束群１４が突っ張る状態となり、外側毛束２２と歯頸との接触性が低下し、優しい当たり心地実感が低下するおそれがある。
【００２７】
図２に示すように、中央用毛１３は、略円柱状で、その先端部が、基部１３ｂから先端１３ａに向かい漸次径が小さくなる、いわゆるテーパー毛である。
【００２８】
中央用毛１３の材質は、特に限定されず、例えば、６−１２ナイロン、６−１０ナイロン等のポリアミド、ＰＥＴ、ポリブチレンテレフタレート（ＰＢＴ）、ポリトリメチレンテレフタレート（ＰＴＴ）等のポリエステル、ＰＰ等のポリオレフィン、オレフィン系エラストマー、スチレン系エラストマー等のエラストマー等の合成樹脂材料を用いることができる。また、これらの樹脂材料を複数組み合わせて用いてもよく、例えば芯鞘構造等のように、芯部と鞘部で異なる樹脂材料を用いることもできる。
【００２９】
中央用毛１３の用毛径は、中央用毛１３の材質等を勘案して決定でき、例えば、６〜９ｍｉｌ（１ｍｉｌ＝１／１０００ｉｎｃｈ＝０．０２５ｍｍ）とされる。６ｍｉｌ以上であれば、歯頸部を良好に清掃できる毛腰が確保され、９ｍｉｌ以下であれば、歯茎等への刺激を緩和できる柔軟性が確保される。なお、テーパー毛における用毛径は、先端１３ａに向かって漸次径が小さくなる直前、即ち、先端部の基部１３ｂにおける直径である。
【００３０】
外側毛束２２の植毛面５上の長さ、即ち毛丈ｔ２は、外側用毛２３の材質、太さ等を勘案して決定でき、例えば、６〜１３ｍｍとされる。
下記（１）式で表される中央毛束１２の毛丈ｔ１と外側毛束２２の毛丈ｔ２との毛丈差ｔ３は、２．０ｍｍ以下が好ましく、０．５〜１．５ｍｍがより好ましい。ｔ１＞ｔ２であれば、歯頸部の清掃性、歯茎への当たり心地のさらなる向上が図れる。
【００３１】
毛丈差ｔ３（ｍｍ）＝毛丈ｔ１（ｍｍ）−毛丈ｔ２（ｍｍ）    ・・・（１）
【００３２】
外側毛束２２の毛束径ｒ２、即ち、外側毛束２２の長さ方向に直交する断面の直径は、１．８〜２．４ｍｍであり、２．１〜２．３ｍｍが好ましい。外側毛束２２の毛束径ｒ２が２．０ｍｍ未満であると、刷掃時において、外側毛束２２の先端から歯茎にかかる圧力を分散できず、歯茎への刺激が強くなり、歯茎への当たり心地が低下する。外側毛束２２の毛束径ｒ２が２．４ｍｍ超であると、外側用毛２３は、同じ外側毛束２２を構成する他の外側用毛２３との干渉が大きくなりすぎ、動きの自由度が損なわれて、優しい当たり心地を低下させる。
外側毛束２２の毛束径ｒ２は、植毛面５との境界部における直径であり、外側植毛穴２０の直径Ｒ２と略同等である。
なお、外側毛束群２４において、全ての外側毛束１４の毛束径は、同一であってもよいし、互いに異なっていてもよい。
【００３３】
外側毛束群２４の植毛密度、即ち、外側毛束２２の長さ方向に直交する断面積の総和（外側毛束面積）を全植毛領域２１の面積で除した値は、４５〜７０％が好ましく、５５〜６０％がより好ましい。外側毛束群２４の植毛密度が４５％未満であると、刷掃時において外側毛束２２の先端から歯茎にかかる圧力を分散しにくくなる。外側毛束群２４の植毛密度が７０％超であると、同じ外側毛束２２を構成する外側用毛２３同士の干渉が大きくなりすぎ、外側用毛２３の動きの自由度が損なわれて、優しい当たり心地が低下する傾向となる。
なお、外側毛束２２の断面積は、外側毛束２２と植毛面との境界部分の断面積であり、外側植毛穴２０の開口面積と略同等である。
【００３４】
外側用毛２３は、中央用毛１３と同様に、その先端部が、先端に向かい漸次径が小さくなるテーパー毛である。
外側用毛２３の材質は、中央用毛１３の材質と同じである。
なお、中央用毛１３の材質と外側用毛２３の材質とは、同じであってもよいし、異なっていてもよい。
【００３５】
外側用毛２３の用毛径は、外側用毛２３の材質等を勘案して決定でき、例えば、４〜７ｍｉｌとされる。４ｍｉｌ以上であれば、十分な自立性が得られ、７ｍｉｌ以下であれば、歯茎への刺激を十分に緩和できる。
加えて、中央用毛１３の用毛径は、外側用毛２３の用毛径以上であることが好ましく、外側用毛２３の用毛径より大きいことがより好ましい。かかる構成とすることで、刷掃中において歯茎に接触しやすい外側用毛２３により、歯茎への刺激を緩和しつつ、中央用毛１３により歯頸部の清掃性を向上できる。
【００３６】
外側毛束２２の長さ方向に直交する断面積（外側毛束断面積）と、中央毛束１２の長さ方向に直交する断面積（中央毛束断面積）との比率であり、［外側毛束断面積］／［中央毛束断面積］で表される毛束断面積比は、１．８以上が好ましく、１．８〜５．０がより好ましく、２．５〜４．０がさらに好ましい。１．８未満であると、外側毛束２２の毛束径が小さくなりすぎ、外側毛束２２の先端から歯頸にかかる圧力を十分に分散できず、当たり心地が低下する傾向にある。あるいは、中央毛束１２の毛束径が大きくなりすぎ、中央毛束１２の先端部が歯周ポケットや歯間部に入りにくくなり、歯頸部の清掃性が低下するおそれがある。５．０超であると、中央毛束１２の毛束径が外側毛束２２の毛束径に比べて小さくなりすぎ、中央毛束１２の毛腰が弱くなって、歯頸部の清掃性が低下するおそれがある。あるいは、外側毛束２２の毛束径が大きすぎるため、外側毛束２２を構成する外側用毛２３同士の干渉が大きくなりすぎ、外側用毛２３の動きの自由度が損なわれて、優しい当たり心地が低下する傾向にある。また、ヘッド部の増幅による操作性、ヘッド部の強度が低下する傾向にある。
なお、中央毛束断面積は、中央毛束１２と植毛面５との境界部分の断面積であり、中央植毛穴１０の開口面積と略同等である。外側毛束断面積は、外側毛束断面積は、外側毛束２２との境界部分の断面積であり、外側植毛穴２０の開口面積と略同等である。
【００３７】
本発明の歯ブラシ１の製造方法は、従来公知の方法を用いることができ、例えば、用毛を二つ折りにし、その間に挟み込まれた平線を植毛穴に打ち込むことにより毛束を植設する平線式植毛や、毛束の下端を植毛部となる溶融樹脂中へ圧入して固定する熱融着法、毛束の下端を加熱して溶融塊を形成した後に、金型中に溶融樹脂を注入して植毛部を成形するインモールド法等が挙げられる。
【００３８】
本実施形態によれば、植毛面の略中央に中央毛束群が設けられ、かつ中央毛束群の両側に一対の外側毛束群が設けられているため、刷掃時には毛束径の大きい外側毛束が歯茎に接触して柔らかな当たり心地を与えると共に、毛束径の小さい中央毛束が歯周ポケットや歯間部に入り込み、良好に歯頸部を清掃できる。これは、刷掃時に歯茎に接触しやすい外側毛束の毛束径が１．８〜２．４ｍｍとされていることで、外側毛束の先端から歯茎にかかる圧力が分散され、歯茎への刺激が緩和されるためである。加えて、中央毛束は、外側毛束よりも小さい毛束径とされ、かつ中央毛束群の植毛密度が３０〜４５％とされているため、撓み等の動きが過度に抑制されず、歯周ポケットや歯間部に入りやすい。さらに、中央毛束は、外側毛束群により挟まれているため、その動きが外側毛束群により適度に制御されると共に、外側毛束群の干渉により適度な毛腰となり、歯頸部を良好に清掃できる。
【００３９】
本実施形態によれば、中央毛束は、外側毛束よりも長い毛丈とされているため、歯周ポケットや歯間部に入りやすくなり、歯頸部の清掃性をさらに向上できる。
【００４０】
本実施形態によれば、中央用毛及び外側用毛がテーパー毛とされているため、中央用毛又は外側用毛が歯周ポケットや歯間部に入り込みやすく、歯頸部の清掃性をさらに向上できる。
【００４１】
本発明は、上述の実施形態に限定されない。上述の実施形態では、中央毛束が略円柱状とされているが、例えば、平面視楕円形の楕円柱状でもよいし、平面視三角形、四角形、五角形等の多角柱状でもよい。なお、中央毛束の形状を略円柱状以外とした場合、その毛束径は平面視の形状に外接する真円の直径とされる。
また、外側毛束は、中央毛束と同様に、平面視楕円形の楕円柱状でもよいし、平面視三角形、四角形、五角形等の多角柱状でもよい。
【００４２】
上述の実施形態では、中央植毛穴が有底円筒状とされているが、中央植毛穴の形状は、中央毛束の形状に応じて決定でき、例えば、中央植毛穴を平面視楕円形の有底筒状でもよいし、平面視三角形、四角形、五角形等の有底多角筒状等でもよい。
また、外側植毛穴は、中央植毛穴と同様に、平面視楕円形の有底筒状でもよいし、平面視三角形、四角形、五角形等の有底多角筒状等でもよい。
【００４３】
上述の実施形態では、中央用毛がテーパー毛とされているが、本発明はこれに限られず、例えば、中央用毛は、その長さ方向にわたって均一な直径のものであってもよいし、先端が半球面又は植毛面に平行な面とされていてもよい。ただし、歯周ポケット又は歯間部へ入りやすくさせる観点から、中央毛束の一部の中央用毛がテーパー毛であることが好ましく、中央毛束の全ての中央用毛がテーパー毛であることがより好ましい。
また、外側用毛は、中央用毛と同様に、その長さ方向にわたって均一な直径のものであってもよいし、先端が半球面又は植毛面に平行な面とされていてもよい。ただし、歯茎への当たり心地を優しいものとする観点から、外側毛束の一部の外側用毛がテーパー毛であることが好ましく、外側毛束の全ての外側用毛がテーパー毛であることがより好ましい。
加えて、中央用毛又は外側用毛のいずれか一方をテーパー毛で構成してもよい。
【００４４】
上述の実施形態では、中央用毛及び外側用毛が、略円柱状のテーパー毛とされているが、中央用毛及び外側用毛は、平面視楕円形の楕円柱状、平面視三角形、四角形、五角形等の多角柱状等であってもよい。なお、中央用毛又は外側用毛が略円柱状以外の形状である場合、その用毛径は、その平面視の形状に外接する真円の直径とされる。
【００４５】
上述の実施形態では、中央毛束の毛丈が外側毛束の毛丈より長いものとされているが、例えば、中央毛束の毛丈と外側毛束の毛丈とが同じ、即ち毛丈差が０ｍｍであってもよいし、中央毛束の毛丈が外側毛束の毛丈より短くてもよい。また、本毛束の先端を連ねた形状がハンドル体の軸線方向に山部と谷部とを繰り返す凹凸面となるように、中央毛束及び外側毛束の毛丈を設定してもよい。
ただし、歯頸部の清掃を良好に行う観点から、中央毛束の毛丈が外側毛束の毛丈より長いことが好ましい。
【００４６】
上述の実施形態では、中央毛束群は、中央毛束が千鳥状に植設されたものであるが、例えば、中央毛束が碁盤目状に植設されたものであってもよい。また、中央毛束群は２３個の中央毛束から構成されるが、中央毛束群を構成する中央毛束の数は２２個以下であってもよいし、２４個以上であってもよい。
【００４７】
上述の実施形態では、一方の外側毛束群は、６個の外側毛束により構成されているが、例えば、一方の外側毛束群を構成する外側毛束は５個以下であってもよいし、７個以上であってもよい。
また、一方の外側毛束群を構成する外側毛束の数と、他方の外側毛束群を構成する外側毛束の数とは、同じであってもよいし、異なってもよい。
【００４８】
上述の実施形態では、中央植毛領域の外側に外側毛束が植設されているが、外側毛束は、中央毛束を挟んで植設されていればよく、例えば、その一部が中央植毛領域内に位置していてもよい。
【００４９】
上述の実施形態では、中央毛束群の両側に一対の外側毛束群が設けられているが、例えば、外側毛束群が中央毛束群を囲むように設けられていてもよい。
このような歯ブラシについて、図３を参照して説明する。なお、図１の歯ブラシ１と同じ構成には同じ符号を付してその説明を省略し、歯ブラシ１と異なる点について主に説明する。
【００５０】
図３に示すように、歯ブラシ１００は、植毛面５に中央毛束群１４が設けられると共に、中央毛束群１４を囲うように外側毛束群１２４が設けられたものである。外側毛束群１２４は、外側毛束２２と、軸線Ｏ上に位置し、中央毛束群１４より先端７寄りの外側植毛穴１２０ａに植設された外側毛束１２２ａと、軸線Ｏ上に位置し、中央毛束群１４より把持部（図示せず）寄りの外側植毛穴１２０ｂに植設された外側毛束１２２ｂとで構成されている。即ち、図１の歯ブラシ１における一対の外側毛束群２４に加え、外側毛束１２２ａ及び１２２ｂが設けられることで、中央毛束群１４を囲う外側毛束群１２４が設けられたものである。
【００５１】
歯ブラシ１００の植毛面５には、外側毛束群１２４の外周輪郭を示す全植毛領域１２１が形成されており、全植毛領域１２１は、外側植毛穴２０、１２２ａ、１２２ｂの外縁を結ぶ環状線で囲われたものである。
外側植毛穴１２０ａは、外側植毛穴２０と同様であり、外側植毛穴１２０ｂは、外側植毛穴２０と同様である。
外側毛束１２２ａは、外側毛束２２と同様であり、外側毛束１２２ｂは、外側毛束２２と同様である。
【００５２】
歯ブラシ１００によれば、外側毛束群１２４が中央毛束群１４を囲むように設けられているため、中央毛束１２は、軸線Ｏ方向の動きが外側毛束群１２４により干渉され、毛腰がさらに高いものとなる。
なお、外側毛束群の形態は、中央毛束に求める毛腰を勘案して決定できる。
【実施例】
【００５３】
（評価方法）
各例の歯ブラシについて、下記の方法で当たり心地と歯頸部の清掃性を評価した。なお、歯頸部の清掃性は、「歯頸部挿入実感」「歯頸部清掃実感」により評価した。
＜当たり心地の評価＞
当たり心地は、モニター１０人が各例の歯ブラシを使用し、歯茎への当たり心地を下記の評価基準にて評価した。モニター１０人の平均点が２．５点以上を「◎」、平均点２．０点以上２．５点未満を「○」、平均点１．５点以上２．０点未満を「△」、平均点１．５点未満を「×」とした。
【００５４】
≪評価基準≫
３点：歯茎の痛みがなく、当たり心地が非常によい。
２点：歯茎の痛みがなく、当たり心地がよい。
１点：歯茎に、弱い痛みを感じる。
０点：歯茎に強い痛みを感じる。
【００５５】
＜歯頸部挿入実感の評価＞
歯頸部挿入実感は、モニター１０人が各例の歯ブラシを使用し、歯頸部への挿入実感を下記評価基準にて評価した。モニター１０人の平均点が２．５点以上を「◎」、平均点２．０点以上２．５点未満を「○」、平均点１．５点以上２．０点未満を「△」、平均点１．５点未満を「×」とした。
【００５６】
≪評価基準≫
３点：歯と歯茎との隙間に毛先が届く感触を非常に感じる。
２点：歯と歯茎との隙間に毛先が届く感触を感じる。
１点：歯と歯茎との隙間に毛先が届く感触をあまり感じない。
０点：歯と歯茎との隙間に毛先が届く感触を感じない。
【００５７】
＜歯頸部清掃実感の評価＞
歯頸部清掃実感は、モニター１０人が各例の歯ブラシを使用し、歯頸部清掃実感を下記評価基準にて評価した。モニター１０人の平均点が２．５点以上を「◎」、平均点２．０点以上２．５点未満を「○」、平均点１．５点以上２．０点未満を「△」、平均点１．５点未満を「×」とした。
【００５８】
≪評価基準≫
３点：歯と歯茎との隙間の汚れが落ちた感触を非常に感じる。
２点：歯と歯茎との隙間の汚れが落ちた感触を感じる。
１点：歯と歯茎との隙間の汚れが落ちた感触をあまり感じない。
０点：歯と歯茎との隙間の汚れが落ちた感触を感じない。
【００５９】
（実施例１〜２、４〜１０、比較例３、６〜８）
表１〜２に示す仕様に従い、図１の歯ブラシ１と同様に、テーパー毛を植設した歯ブラシを作製した。この歯ブラシは、千鳥状に植設された中央毛束からなる中央毛束群と、中央毛束群を挟んで各６個の外側毛束で構成された一対の外側毛束群とを備えるものである。中央毛束の数は、表中に示す数とした。得られた歯ブラシについて、当たり心地、歯頸部挿入実感、歯頸部清掃実感を評価し、その結果を表１〜２に示す。
【００６０】
（実施例３）
表１に示す仕様に従い、図３の歯ブラシ１００と同様に、テーパー毛を植設した歯ブラシを作製した。この歯ブラシは、千鳥状に植設された中央毛束からなる中央毛束群と、中央毛束群を囲む１４個の外側毛束で構成された外側毛束群とを備えるものである。中央毛束の数は、表中に示す数とした。得られた歯ブラシについて、当たり心地、歯頸部挿入実感、歯頸部清掃実感を評価し、その結果を表１に示す。
【００６１】
（比較例１）
図４に示す歯ブラシ２００を表２の仕様に従い作製した。この歯ブラシ２００は、植毛面５に、１４個の略円柱状の中央毛束２１２が植設された中央毛束群２１４と、中央毛束群２１４を挟んで各々６個の略円柱状の外側毛束２２２が植設された一対の外側毛束群２２４とを備えるものである。中央毛束群２１４は、ブラシ体２の軸線Ｏを挟んで各７個の中央毛束２１２が２列に並設されたものであり、植毛面５には、中央毛束群２１４に位置する中央植毛穴の外縁を結ぶ環状線で囲われた中央植毛領域２１１が形成されている。得られた歯ブラシ２００について、当たり心地、歯頸部挿入実感、歯頸部清掃実感を評価し、その結果を表２に示す。
【００６２】
（比較例２）
図５に示す歯ブラシ３００を表２の仕様に従い作製した。この歯ブラシ３００は、植毛面５に、１２個の略円柱状の中央毛束２１２が植設された中央毛束群３１４と、中央毛束群３１４を挟んで各々６個の略円柱状の外側毛束２２２が植設された一対の外側毛束群２２４とを備えるものである。中央毛束群３１４は、ブラシ体２の軸線Ｏを挟んで各６個の中央毛束２１２が２列に設けられ、植毛面５の幅方向で隣接する中央毛束２１２同士が相互に軸線Ｏ方向にずれて配置されたものである。植毛面５には、中央毛束群３１４に位置する中央植毛穴の外縁を結ぶ環状線で囲われた中央植毛領域３１１が形成されている。
得られた歯ブラシ３００について、当たり心地、歯頸部挿入実感、歯頸部清掃実感を評価し、その結果を表２に示す。
【００６３】
（比較例４〜５）
図６に示す歯ブラシ５００を表２の仕様に従い作製した。この歯ブラシ５００は、植毛面５に、略円柱状の中央毛束５１２が植設された中央毛束群５１４と、中央毛束群５１４を挟んで各々７個の略円柱状の外側毛束５２２が植設された一対の外側毛束群５２４とを備えるものである。中央毛束群４１４は、ブラシ体２の軸線Ｏ上及び軸線Ｏに沿って、２３個の中央毛束５１２が千鳥状に設けられたものであり、植毛面５には、中央毛束群５１４に位置する中央植毛穴の外縁を結ぶ環状線で囲われた中央植毛領域５１１が形成されている。得られた歯ブラシ５００について、当たり心地、歯頸部挿入実感、歯頸部清掃実感を評価し、その結果を表２に示す。
【００６４】
【表１】
0005690523.tif 000002
【００６５】
【表２】
0005690523.tif 000003
【００６６】
表１〜２に示すように、本発明を適用した実施例１〜１０は、当たり心地、歯間挿入性及び歯頸部清掃実感のいずれもが、「○」〜「◎」であった。中でも、中央毛束の用毛径を外側毛束の用毛径より大きくした実施例１は、中央毛束の用毛径と外側毛束の用毛径とを同じとした実施例３よりも歯頸部清掃実感の結果に優れるものであった。また、中央毛束群の植毛密度を３５〜４０％とした実施例３〜４は、実施例２及び５に比べて当たり心地に優れるものであった。
一方、表２に示すように、本発明を適用していない比較例１〜８は、当たり心地、歯頸部挿入実感及び歯頸部清掃実感のいずれかが、「△」〜「×」であった。
この結果から、本発明を適用することで、歯茎への優しい当たり心地と、歯頸部の清掃性との両立が図れることが判った。
【符号の説明】
【００６７】
１、１００    歯ブラシ
２        ハンドル体
４        ヘッド部
５        植毛面
１０      中央植毛穴
１１      中央植毛領域
１２      中央毛束
１３      中央用毛
１４      中央毛束群
２０、１２０ａ、１２０ｂ    外側植毛穴
２２、１２２ａ、１２２ｂ    外側毛束
２３      外側用毛
２４、１２４    外側毛束群
Ｏ        軸線
【図１】
0005690523.tif 000004
【図２】
0005690523.tif 000005
【図３】
0005690523.tif 000006
【図４】
0005690523.tif 000007
【図５】
0005690523.tif 000008
【図６】
0005690523.tif 000009